(57)【要約】 【課題】  基板用コネクタの位置決め作業を簡易にし、もって作業性を向上する。【解決手段】  本発明における基板用コネクタ１は、コネクタハウジング１０と端子金具２０とガイド部３０とを備えている。コネクタハウジング１０の下面後端部において幅方向両端部には、一対のガイド部３０，３０が下方に突出して設けられている。両ガイド部３０，３０は、幅方向両端に位置する両端子金具２０Ａ，２０Ａよりも外側に位置しており、コネクタハウジング１０に対しインサート成形により一体に形成されている。また、ガイド部３０はねじ軸とされ、固定ナット３２が螺合可能となっている。ガイド部３０の下端３１は、端子金具２０の下端２１よりも下方に位置するように設定されており、コネクタハウジング１０の位置決めが可能となっている。【選択図】  図２
2007066614.tif 000002
【特許請求の範囲】
【請求項１】
コネクタハウジングには端子金具が配され、その端子金具の一端は前記コネクタハウジングの外部に突出したのち基板に向けて折り返され、前記基板に配されるスルーホールに貫通状態で挿入したのち、前記端子金具の一端側を前記基板に半田付けすることで固定を行う基板用コネクタにおいて、
前記コネクタハウジングには前記基板に向けてガイド部が設けられるとともにそのガイド部の先端が前記端子金具の一端側の先端よりも突出する位置に設定され、前記基板には前記ガイド部が挿入可能なガイド孔が貫通して設けられ、前記端子金具の一端が前記スルーホールに挿入されるよりも先に、前記ガイド部が前記ガイド孔に挿入されることを特徴とする基板用コネクタ。
【請求項２】
前記ガイド部はねじ軸とされ、前記基板に対しねじ止めされることを特徴とする請求項１記載の基板用コネクタ。
【請求項３】
前記ガイド部は前記コネクタハウジングに対しインサート成形により一体に形成されていることを特徴とする請求項１または請求項２記載の基板用コネクタ。
【請求項４】
前記コネクタハウジングの幅方向に沿って複数の前記端子金具が配列されており、前記ガイド部は前記コネクタハウジングの幅寸法範囲内でかつ前記コネクタハウジングの幅方向の少なくとも両端部に一対配されていることを特徴とする請求項１ないし請求項３のいずれかに記載の基板用コネクタ。
【発明の詳細な説明】
【技術分野】
【０００１】
本発明は、基板用コネクタに関する。
【背景技術】
【０００２】
従来、基板用コネクタの一例として特許文献１に記載のものが知られている。このものは、端子金具を装着したコネクタハウジングをプリント基板（以下、単に基板という）に固定するに当たり、ハウジングの両側面の下端部に側方へ張り出した基板固定部を一体形成し、この基板固定部に形成したねじ孔に対してねじを締め付けるようにしている。
【特許文献１】特開平６−２０３８９６号公報
【発明の開示】
【発明が解決しようとする課題】
【０００３】
しかしながら、このようにねじ止めにより基板に固定するものでは、ねじ止めに先立ってコネクタハウジングから基板に向けられた端子金具の一端を基板のスルーホールに挿入することで位置決めを行うのであるが、複数本の端子金具を一斉にスルーホールへ位置合わせするのは大変であった。
【０００４】
本発明は上記のような事情に基づいて完成されたものであって、位置決め作業を簡易にし、もって作業性を向上することを目的とする。
【課題を解決するための手段】
【０００５】
上記の目的を達成するための手段として、請求項１の発明は、コネクタハウジングには端子金具が配され、その端子金具の一端は前記コネクタハウジングの外部に突出したのち基板に向けて折り返され、前記基板に配されるスルーホールに貫通状態で挿入したのち、前記端子金具の一端側を前記基板に半田付けすることで固定を行う基板用コネクタにおいて、前記コネクタハウジングには前記基板に向けてガイド部が設けられるとともにそのガイド部の先端が前記端子金具の一端側の先端よりも突出する位置に設定され、前記基板には前記ガイド部が挿入可能なガイド孔が貫通して設けられ、前記端子金具の一端が前記スルーホールに挿入されるよりも先に、前記ガイド部が前記ガイド孔に挿入される構成としたところに特徴を有する。
【０００６】
請求項２の発明は、請求項１に記載のものにおいて、前記ガイド部はねじ軸とされ、前記基板に対しねじ止めされるところに特徴を有する。
【０００７】
請求項３の発明は、請求項１または請求項２に記載のものにおいて、前記ガイド部は前記コネクタハウジングに対しインサート成形により一体に形成されているところに特徴を有する。
【０００８】
請求項４の発明は、請求項１ないし請求項３のいずれかに記載のものにおいて、前記コネクタハウジングの幅方向に沿って複数の前記端子金具が配列されており、前記ガイド部は前記コネクタハウジングの幅寸法範囲内でかつ前記コネクタハウジングの幅方向の少なくとも両端部に一対配されているところに特徴を有する。
【発明の効果】
【０００９】
＜請求項１の発明＞
請求項１の発明によると、コネクタハウジングのガイド部を基板のガイド孔に挿入することで位置決めされるようにしたから、その後になされるスルーホールへの端子金具の挿入が容易となり、もって作業性を向上することが可能である。
【００１０】
＜請求項２の発明＞
請求項２の発明によると、ガイド部がねじ軸とされ、基板に対しねじ止めされるようにしたから、コネクタハウジングの位置決めと基板への固定とを一部材で兼用させることが可能となり、全体の構造を簡素化することができる。
【００１１】
＜請求項３の発明＞
請求項３の発明によると、ガイド部がコネクタハウジングに対しインサート成形により一体に形成されているから、ガイド部を別体で設けておき、コネクタハウジングに後付けする場合と比較して、より簡易に設けることが可能である。
【００１２】
＜請求項４の発明＞
請求項４の発明によると、ガイド部がコネクタハウジングの幅方向の少なくとも両端部に一対配されているから、多極化に伴ってコネクタハウジングが幅方向へ長尺化した場合に、とりわけ、このような配置は、位置決め上、優位となる。
【発明を実施するための最良の形態】
【００１３】
＜実施形態１＞
本発明の実施形態１を図１ないし図５によって説明する。実施形態１における基板用コネクタ１は、コネクタハウジング１０と端子金具２０とガイド部３０とを備えている。尚、以下の説明において、前後方向とは図１における紙面に直交する方向を基準として手前側を前方とし、上下方向とは図１における上下方向を基準として上側を上方とし、幅方向とは図１における左右方向を基準とする。
【００１４】
本実施形態の基板用コネクタ１は、図３に示すように、基板Ｂ上に載置されて、ガイド部３０が後述するガイド孔Ｇに挿入されてねじ止めされるとともに、端子金具２０が後述するスルーホールＴに挿入されてフロー式の半田付けにより導通可能に接続されるようになっている。
【００１５】
コネクタハウジング１０は合成樹脂製であって、図１または図５に示すように、全体としては横長のブロック状に形成されている。コネクタハウジング１０の内部には、図示しない相手側の雌コネクタハウジングが嵌合されるフード部１１が形成されている。フード部１１の内周面には、図示８箇所のガイド凹部１５が前後方向に亘って形成されている。ガイド凹部１５は、上面側と下面側にそれぞれ図示４箇所ずつ配され、上面側と下面側とでそれぞれ異なる配置をとっている。ガイド凹部１５には、雌コネクタハウジングに前後方向に沿って設けられた図示しない案内突部が挿入可能となっており、雌雄両コネクタハウジングの上下方向の誤嵌合を規制し、かつ嵌合の案内をしている。また、フード部１１の内周面における上面前縁であって幅方向略中央部には、係止突部１６が形成されている。雌雄両コネクタハウジングの正規嵌合状態では、雌コネクタハウジングの図示しないロックアームが係止突部１６に対し弾性的に係止することにより、雌雄両コネクタハウジングを抜止め状態にロックすることが可能となっている。
【００１６】
フード部１１の奥壁１２には、図１に示すように、端子引き出し部１３が幅方向に長い形状でかつ上下二段に分かれて凹み形成されている。奥壁１２の後面側であって端子引き出し部１３と対応する位置には、図４に示すように、後方に向けて次第に開口径が大きくなる形態の端子誘導面１４が形成されている。端子誘導面１４は、端子金具２０が後方から奥壁１２に圧入される際の案内をしている。
【００１７】
端子金具２０は断面略方形の針状をなし、かつ略Ｌ字形に折り曲げられた形態をしている。また端子金具２０は、その両端部が先細り形状をなし、奥壁１２に後方から圧入されて貫通状態で装着される。端子金具２０の後端側は、奥壁１２から後方に突出し、上段側が下段側よりも後方位置まで延出された後、ともに下方へ略直角に折り曲げられて基板Ｂに向けられている。端子金具２０の下端（本発明における端子金具の一端側の先端に相当する）２１は、上段側と下段側とで共に高さ位置が同一となるように設定されている。一方、端子金具２０の前端側は、端子引き出し部１３から前方に引き出され、上段側と下段側とで共に端子引き出し部１３からの突出長さが同一となるように設定されている。
【００１８】
コネクタハウジング１０の下面後端部において幅方向両端部には、一対のガイド部３０，３０が下方に突出して設けられている。本実施形態においては、両ガイド部３０，３０は、幅方向両端に位置する両端子金具２０Ａ，２０Ａよりも外側に位置しており、コネクタハウジング１０に対しインサート成形により一体に形成されている。また、ガイド部３０はねじ軸とされ、固定ナット３２が螺合可能となっている。ガイド部３０の下端（本発明におけるガイド部の先端に相当する）３１は尖った形状をしていると共に、端子金具２０の下端２１よりも下方に位置するように設定されている。
【００１９】
一方、基板Ｂにおいて端子金具２０と対応する位置にはスルーホールＴが貫通状態で配され、同じく基板Ｂにおいてガイド部３０と対応する位置にはガイド孔Ｇが貫通状態で配されている。ガイド孔Ｇの内径は、ガイド部３０の直径とほぼ同じかやや大きめとなっているものの、スルーホールＴの内径に比べると大きめに設定されている。これにより、基板用コネクタ１を基板Ｂ上に載置した状態では、図３に示すように、ガイド部３０がガイド孔Ｇに挿通され、その後、端子金具２０の下端２１がスルーホールＴに挿通し、ガイド部３０に対し基板Ｂの下面側から固定ナット３２を螺合することで基板用コネクタ１を基板Ｂ上に固定することが可能となっている。
【００２０】
本実施形態は以上のような構造であって、続いてその作用を説明する。  
まず、基板用コネクタ１を基板Ｂ上に載置する。基板用コネクタ１を基板Ｂ上に載置するにあたっては、ガイド部３０をガイド孔Ｇに挿入して位置決めを行う。このとき、ガイド孔Ｇの内径は、スルーホールＴの内径よりも大きめであるため、端子金具２０の下端２１をスルーホールＴに挿入するよりも簡易にガイド部３０をガイド孔Ｇに挿入することが可能である。こうして、ガイド部３０の下端３１をガイド孔Ｇに挿入して位置決めが行われると、図２に示すように、端子金具２０の下端２１はスルーホールＴのほぼ真上に位置することになる。ここで、両ガイド部３０，３０は幅方向両端に位置する両端子金具２０Ａ，２０Ａよりも外側に配され、かつ位置決めされているから、両ガイド部３０，３０よりも内側の領域、すなわち端子金具２０の配される領域については確実に位置決めが保証される。したがって、ガイド部３０を設けないで端子金具２０の下端２１を直接スルーホールＴに挿入して位置決めする場合よりもはるかに効率よく位置決めを行うことができ、もって作業性を向上することが可能となる。
【００２１】
次に、基板用コネクタ１をねじ止めするべく、ガイド部３０の下端３１に固定ナット３２を締め込む。これにより、コネクタハウジング１０の下面と固定ナット３２との間に基板Ｂを挟み付けた状態となって基板用コネクタ１を基板Ｂ上に固定することが可能となる。
【００２２】
以上のように、本実施形態においては、端子金具２０の下端２１がスルーホールＴに挿入されるよりも先に、ガイド部３０の下端３１がガイド孔Ｇに挿入されるようにし、ガイド部３０により位置決めされるようにしたから、端子金具２０の下端２１をスルーホールＴに挿入することが容易となり、もって作業性を向上することが可能である。また、ガイド部３０がねじ軸とされ、基板Ｂに対しねじ止めされるようにしたから、コネクタハウジング１０の位置決めと基板Ｂへの固定とを一部材で兼用させることが可能となり、全体の構造を簡素化することができる。さらに、ガイド部３０がコネクタハウジング１０に対しインサート成形により一体に形成されているから、ガイド部３０を別体で設けておき、コネクタハウジング１０に後付けする場合と比較して、より簡易に設けることが可能である。これらに加えて、ガイド部３０がコネクタハウジング１０の幅方向の少なくとも両端部に一対配されているから、コネクタハウジング１０の幅方向における位置決め精度をより高めることが可能である。その上、ガイド部３０が端子金具２０に近い位置（コネクタハウジング１０の後端部寄りの位置）に配置されているため、端子金具２０のスルーホールＴに対する位置決め精度を向上させることが可能である。また、ガイド部３０の下端３１が端子金具２０の下端２１よりも下位にあるため、基板用コネクタ１を基板Ｂへ装着する前の単体時において、基板用コネクタ１が異物に接触したときに、端子金具２０の保護にも寄与する。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）実施形態１では、ガイド部をコネクタハウジングの幅方向両端部に一対設けたものを例示したが、ガイド部はコネクタハウジングの幅方向の少なくとも両端部に一対配されていればよく、これ以外にも追加で設けてもよい。
【００２５】
（２）実施形態１では、ガイド部がねじ軸とされ、固定ナットによって基板に固定するものを例示したが、ガイド孔に固定可能であれば、ねじ軸に限定されず、ガイド部を径方向内側に向かって圧縮可能な構造としておき、ガイド孔に圧入状態で挿入するようにしてもよい。
【００２６】
（３）実施形態１では、ガイド部をコネクタハウジングに対しインサート成形により一体に設けたものを例示したが、ガイド部を別体で設けておき、コネクタハウジングに後付けするようにしてもよい。
【００２７】
（４）実施形態１のものにおいて、コネクタハウジングの後部に端子金具の姿勢矯正のためのアライメントプレートを装着することを妨げない。
【図面の簡単な説明】
【００２８】
【図１】実施形態１において基板用コネクタを基板に載置する前の状態を示す一部切り欠き正面図
【図２】実施形態１においてガイド部がガイド孔に挿入された状態を示す一部切り欠き正面図
【図３】実施形態１において基板用コネクタを基板に載置した状態を示す一部切り欠き正面図
【図４】実施形態１において基板用コネクタを基板に載置した状態を示す側断面図
【図５】実施形態１における基板用コネクタの平面図
【符号の説明】
【００２９】
１…基板用コネクタ
１０…コネクタハウジング
２０…端子金具
２１…端子金具の下端（端子金具の一端側の先端）
３０…ガイド部
３１…ガイド部の下端（ガイド部の先端）
Ｂ…基板
Ｇ…ガイド孔
Ｔ…スルーホール
【図１】
2007066614.tif 000003
【図２】
2007066614.tif 000004
【図３】
2007066614.tif 000005
【図４】
2007066614.tif 000006
【図５】
2007066614.tif 000007